(57)【要約】【課題】バッテリー残量の表示をより正確に行いながらも、充電状態の表示をより適切に行う。【解決手段】バッテリー充電装置は、充電回路と、バッテリー残量を表示する残量表示部と、少なくとも充電制御が実行中であるか否かを表示する充電表示部と、バッテリー電圧に基づいて前記残量表示部に表示するバッテリー残量を取得する残量取得手段と、前記充電表示部の表示を制御する充電表示制御手段と、を備え、前記残量取得手段は、前記充電回路による前記バッテリーの充電が一時的に停止して所定の待ち時間が経過した後にバッテリー電圧を検出してバッテリー残量を取得し、前記充電表示制御手段は、前記充電回路の前記一時的な充電停止に拘わらず、充電制御の実行中は前記充電表示部に充電制御の実行中を示す表示を行わせることを特徴とする。【選択図】図３
2018137838.tif 000002
【特許請求の範囲】
【請求項１】
バッテリーを充電する充電回路と、
バッテリー残量を表示する残量表示部と、
少なくとも充電制御が実行中であるか否かを表示する充電表示部と、
バッテリー電圧に基づいて前記残量表示部に表示するバッテリー残量を取得する残量取得手段と、
前記充電表示部の表示を制御する充電表示制御手段と、を備え、
前記残量取得手段は、前記充電回路による前記バッテリーの充電が一時的に停止して所定の待ち時間が経過した後にバッテリー電圧を検出してバッテリー残量を取得し、
前記充電表示制御手段は、前記充電回路の前記一時的な充電停止に拘わらず、充電制御の実行中は前記充電表示部に充電制御の実行中を示す表示を行わせる、
ことを特徴とするバッテリー充電装置。
【請求項２】
請求項１に記載のバッテリー充電装置において、前記残量表示部の情報を更新する時間間隔は、バッテリー電圧が低いほど短く設定されている、
ことを特徴とするバッテリー充電装置。
【請求項３】
請求項１または請求項２に記載のバッテリー充電装置において、前記充電表示部は、少なくともバッテリー残量の表示を消す省電力モードを実行可能であり、
前記残量取得手段は、前記省電力モードの実行中は、前記待ち時間を設けないか、或いは前記省電力モードを解除した場合より前記待ち時間を短くする、
ことを特徴とするバッテリー充電装置。
【請求項４】
請求項１から請求項３のいずれか一項に記載のバッテリー充電装置において、前記残量取得手段は、バッテリー電圧が所定の値を越えると、前記待ち時間を設けない、
ことを特徴とするバッテリー充電装置。
【請求項５】
請求項１から請求項４のいずれか一項に記載のバッテリー充電装置において、前記残量取得手段が取得したバッテリー残量に基づき前記残量表示部を制御する残量表示制御手段は、前記残量取得手段により取得されたバッテリー残量に拘わらず、前記残量表示部に表示するバッテリー残量を、装置状態に応じて増える方向及び減る方向のいずれかに統一する、
ことを特徴とするバッテリー充電装置。
【請求項６】
請求項１から請求項５のいずれか一項に記載のバッテリー充電装置において、バッテリー残量が所定量増えるまでに要した実充電時間を計測する計測手段と、
前記実充電時間に関する情報を、前記バッテリーが備える情報記憶部に書き込む情報書き込み手段と、を備える、
ことを特徴とするバッテリー充電装置。
【請求項７】
媒体に記録を行う記録手段と、
請求項１から請求項６のいずれか一項に記載のバッテリー充電装置と、
を備えた記録装置。
【発明の詳細な説明】
【技術分野】
【０００１】
本発明は、バッテリーを充電するバッテリー充電装置に関する。また本発明は、媒体に記録を行う記録装置に関する。
【背景技術】
【０００２】
電子機器のうち特に携帯可能なものには、充電可能なバッテリー（二次電池）が搭載されたものが多く、このような電子機器は、バッテリーの充電を制御する充電制御装置が搭載され、更に、ユーザーの便宜を考慮してバッテリー残量を表示する表示部が設けられたものが多い。  
バッテリー残量を求める方法には幾つかの方法があり、そのうちバッテリーの端子電圧をもとにしてバッテリー残量を算出する方法があるが、バッテリーの端子電圧は変動し易く、これにより正確なバッテリー残量を得ることができない場合がある。  
この様な課題を解決する手段の一例として、特許文献１に記載には、バッテリーに電流が流れていない期間、またはバッテリーに電流が殆ど流れていない期間が所定時間以上継続してから、即ちバッテリーの端子電圧が落ち着くに充分な時間を待ってから、バッテリーの端子電圧を検出するバッテリー機器が開示されている。
【先行技術文献】
【特許文献】
【０００３】
【特許文献１】特許第４１８６０９２号公報
【発明の概要】
【発明が解決しようとする課題】
【０００４】
ところで、充電可能なバッテリーを搭載する電子機器では、充電状態（充電中であるか否か）を示す為のインジケーターが設けられるのが一般的である。インジケーターは、例えばＬＥＤや、液晶表示によって構成される。  
しかしながら、インジケーターが充電回路に連動していると、充電制御において上述のようなバッテリーの端子電圧を落ち着かせる為の待ち時間を設定した場合にはインジケーターの状態が頻繁に変化し、好ましくない。従来の電子機器では、この様な観点には考慮されていなかった。  
加えて、上述の様に充電制御においてバッテリーの端子電圧を落ち着かせる為の待ち時間を設定すると、充電時間が必要以上に長時間化してしまうという問題もある。
【０００５】
そこで本発明はこの様な状況に鑑み成されたものであり、第１の課題は、バッテリー残量の表示をより正確に行いながらも、充電状態の表示をより適切に行うことにある。  
また本発明の第２の課題は、上記第１の課題に加え、更に充電時間の不必要な長時間化を抑制することにある。  
更に本発明の第３の課題は、上記第１の課題に加え、更に充電所要時間の予測をより正確に行うことにある。
【課題を解決するための手段】
【０００６】
上記課題を解決する為の、本発明の第１の態様に係るバッテリー充電装置は、バッテリーを充電する充電回路と、バッテリー残量を表示する残量表示部と、少なくとも充電制御が実行中であるか否かを表示する充電表示部と、バッテリー電圧に基づいて前記残量表示部に表示するバッテリー残量を取得する残量取得手段と、前記充電表示部の表示を制御する充電表示制御手段と、を備え、前記残量取得手段は、前記充電回路による前記バッテリーの充電が一時的に停止して所定の待ち時間が経過した後にバッテリー電圧を検出してバッテリー残量を取得し、前記充電表示制御手段は、前記充電回路の前記一時的な充電停止に拘わらず、充電制御の実行中は前記充電表示部に充電制御の実行中を示す表示を行わせることを特徴とする。
【０００７】
本態様によれば、前記残量取得手段は、前記充電回路による前記バッテリーの充電が一時的に停止して所定の待ち時間が経過した後にバッテリー電圧を検出してバッテリー残量を取得する、即ち、より安定した状態のバッテリー電圧を取得するので、より正確なバッテリー残量を取得することができる。  
そして充電表示部の表示を制御する充電表示制御手段は、前記充電回路の前記一時的な充電停止に拘わらず、充電制御の実行中は前記充電表示部に充電制御の実行中を示す表示を行わせるので、前記充電表示部の頻繁な状態変化を招かず、適切な充電状態表示を行うことができる。  
尚、本明細書において「充電制御」とは、前記充電回路による前記バッテリーの「充電」とは異なる意味であり、前記充電回路による前記バッテリーの充電や、前記一時的な充電停止も含めた、充電開始から充電終了までの一連の制御を意味するものである。
【０００８】
本発明の第２の態様は、第１の態様において、前記残量表示部の情報を更新する時間間隔は、バッテリー電圧が低いほど短く設定されていることを特徴とする。  
本態様によれば、前記残量表示部の情報を更新する時間間隔は、バッテリー電圧が低いほど短く設定されているので、バッテリー残量の変動が大きい状態（バッテリー電圧が低い状態）においてきめ細かくバッテリー残量の更新を行うことで、ユーザーの便宜に資すことができる。  
尚、「バッテリー電圧が低いほど」とは、バッテリー電圧の絶対値を意味するものではなく、バッテリー電圧の相対的な大小関係を意味するものである。例えば、或るバッテリー電圧（第１の電圧とする）と、これより相対的に電圧が低いバッテリー電圧（第２の電圧とする）があるとき、前記第２の電圧での前記時間間隔は、前記第１の電圧での前記時間間隔より短くなる。
【０００９】
本発明の第３の態様は、第１のまたは第２の態様において、前記充電表示部は、少なくともバッテリー残量の表示を消す省電力モードを実行可能であり、前記残量取得手段は、前記省電力モードの実行中は、前記待ち時間を設けないか、或いは前記省電力モードを解除した場合より前記待ち時間を短くすることを特徴とする。
【００１０】
本態様によれば、前記充電表示部は、少なくともバッテリー残量の表示を消す省電力モードを実行可能であり、前記残量取得手段は、前記省電力モードの実行中は、前記待ち時間を設けないか、或いは前記省電力モードを解除した場合より前記待ち時間を短くするので、バッテリー残量を表示する必要の無い場合（即ち省電力モードの場合）に前記待ち時間を設けないことで、充電時間の不必要な長時間化を抑制できる。
【００１１】
本発明の第４の態様は、第１から第３の態様のいずれかにおいて、前記残量取得手段は、バッテリー電圧が所定の値を越えると、前記待ち時間を設けないことを特徴とする。  
バッテリー電圧が高いほど、充電電流は小さくて済むので、充電を停止した後に電圧が落ち着くのに必要な時間も短くて済む。従って本態様では、前記残量取得手段は、バッテリー電圧が所定の値を越えると、前記待ち時間を設けないので、充電時間の不必要な長時間化を抑制できる。
【００１２】
本発明の第５の態様は、第１から第４の態様のいずれかにおいて、前記残量取得手段が取得したバッテリー残量に基づき前記残量表示部を制御する残量表示制御手段は、前記残量取得手段により取得されたバッテリー残量に拘わらず、前記残量表示部に表示するバッテリー残量を、装置状態に応じて増える方向及び減る方向のいずれかに統一することを特徴とする。
【００１３】
例えば装置の動作中、即ちバッテリーの放電中においては、放電による影響でバッテリー電圧は低下しており、装置の動作が停止した後、即ちバッテリーの放電が終了すると、バッテリー電圧は上昇する。従ってバッテリーの放電中にバッテリー残量を取得してこれを表示し、バッテリーの放電終了後にバッテリー残量を取得してこれを表示すると、バッテリーの充電を行っていない状態であるにも拘わらず表示上のバッテリー残量が増え、ユーザーに対して違和感を与える。
【００１４】
そこで本態様においては、前記残量取得手段が取得したバッテリー残量に基づき前記残量表示部を制御する残量表示制御手段は、前記残量取得手段により取得されたバッテリー残量に拘わらず、前記残量表示部に表示するバッテリー残量を、装置状態に応じて増える方向及び減る方向のいずれかに統一するので、上述の様な装置状態に反した不自然なバッテリー残量の増減表示を防止して、自然なバッテリー残量表示とすることができる。
【００１５】
本発明の第６の態様は、第１から第５の態様のいずれかにおいて、バッテリー残量が所定量増えるまでに要した実充電時間を計測する計測手段と、前記実充電時間に関する情報を、前記バッテリーが備える情報記憶部に書き込む情報書き込み手段と、を備えることを特徴とする。
【００１６】
バッテリーは個体ばらつきにより、バッテリーの仕様に基づいて算出する充電完了までの予測時間と、実際に要した充電時間とが異なることがある。実際に要した充電時間をもとにして、充電完了までの予測時間を補正することも考えられるが、例えば複数個のバッテリーを準備して交互に使用する様な使用状況には、対応することができない。  
そこで本態様では、バッテリー残量が所定量増えるまでに要した実充電時間を計測する計測手段と、前記実充電時間に関する情報を、前記バッテリーが備える情報記憶部に書き込む情報書き込み手段と、を備えるので、バッテリーが交換された場合でも、交換されたバッテリーについての充電所要時間を前記情報記憶部に記憶された情報から取得することで、個々のバッテリーに対応したより正確な充電所要時間（予測時間）をユーザーに対して提供することができる。
【００１７】
本発明の第７の態様は、媒体に記録を行う記録手段と、第１から第６の態様のいずれかに係るバッテリー充電装置と、を備えたことを特徴とする。  
本態様によれば、記録装置において、上述した第１から第６の態様のいずれかと同様な作用効果が得られる。
【図面の簡単な説明】
【００１８】
【図１】本発明に係るプリンターの外観斜視図。
【図２】本発明に係るバッテリー充電装置の構成を示すブロック図。
【図３】本発明に係るバッテリー充電装置による充電制御の流れを示すフローチャート。
【図４】充電表示の方向制御の内容を示す表。
【図５】充電予測時間の補正の流れを示すフローチャート。
【図６】電池残量とそれに対応する満充電までの所要時間予測値のテーブルの一例を示す表。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１は本発明に係る「記録装置」の一実施形態であるインクジェットプリンター（以下「プリンター」と言う）１の外観斜視図、図２はプリンター１が備える、本発明に係るバッテリー充電装置２６の構成を示すブロック図、図３はバッテリー充電装置２６による充電制御の流れを示すフローチャート、図４は充電表示の方向制御の内容を示す表である。  
また、図５は充電予測時間の補正の流れを示すフローチャート、図６は電池残量とそれに対応する満充電までの所要時間予測値のテーブルの一例を示す図である。
【００２１】
以下、図１を参照しつつ、プリンター１の全体構成について概説する。  
プリンター１は、記録手段の一例である記録ヘッド２１を搭載するキャリッジ１９を装置幅方向に往復動可能に備える装置本体３と、装置本体３の上部を開閉する上部カバー５と、装置本体３の前面を開閉する前面カバー７と、装置本体３に対して回動可能に設けられるハンドル８とによって、その外観が構成されている。
【００２２】
プリンター１は携帯性を考慮して小型に構成されており、ハンドル８は持ち運びの際に把持する部分となる。またプリンター１は、装置背面側にＤＣジャック２７（図２）を備えており、ＤＣジャック２７にＡＣアダプタ５０（図２）を接続した状態でＡＣアダプタ５０から供給される電力で動作する。またプリンター１は、ＡＣアダプタ５０から供給される電力で動作するほか、装置本体３に対して着脱可能なバッテリー２３から電力を得て動作する様に構成されている。
【００２３】
装置本体３の後方上部には、媒体の一例である記録用紙を挿入してセットする用紙セット口６が設けられている。上部カバー５は、装置本体３の上面全体を覆うことのできる大きさ及び形状に形成されているとともに、装置本体３の後方に対し回動可能に連結されている。上部カバー５は、閉じることにより、用紙セット口６及び後述するチルトパネル９を含めた装置本体３の上面全体を覆い、開くことにより、用紙セット口６及びチルトパネル９を露呈させる。  
尚、上部カバー５は、開いた状態において用紙セット口６にセットされる記録用紙を支持するペーパーサポートとしても機能する。
【００２４】
チルトパネル９は、電源ボタン１１、各種操作を行う操作部１３、各種表示を行うＬＣＤ（Liquid
Crystal Display）表示部１５、充電表示ＬＥＤ１７、のこれらを備えている。ＬＣＤ表示部１５は、各種メニュー、各種ステータス、各種エラー等の情報を表示するほか、バッテリー２３のバッテリー残量をパーセンテージ表示する。即ちＬＣＤ表示部１５は、バッテリー残量を表示する残量表示部を構成する。  
充電表示ＬＥＤ１７は、バッテリー２３の充電制御の実行中（バッテリーが満充電以外で、且つＡＣアダプタ５０が接続された状態）では点灯し、充電制御が行われていない状態（ＡＣアダプタ５０が接続されていないか、或いは接続されていてもバッテリーが満充電の状態）では消灯する。即ち充電表示ＬＥＤ１７は、充電制御が実行中であるか否かを表示する充電表示部を構成する。  
このバッテリー２３の充電制御については、後に詳しく説明する。
【００２５】
チルトパネル９は、少なくとも上部カバー５を開いた状態においてチルト可能であり、倒れて装置本体３の上面と面一になる状態（不図示）と、図１に示す様に引き起こされてＬＣＤ表示部１５が装置手前側から容易に視認できる状態とを取り得る様に構成されている。
【００２６】
装置本体３の前面を開閉する前面カバー７は、装置本体３の前面下部に対し回動可能に連結されており、閉じることにより、不図示の用紙排出口を閉じ、開くことにより、前記用紙排出口を開放するとともに、排出される記録用紙を支持するスタッカとして機能する。
【００２７】
続いて図２を参照しつつプリンター１が備えるバッテリー充電装置２６の構成について説明する。  
バッテリー充電装置２６は、充電回路２９と、当該充電回路２９を制御する制御部３１とを備えている。  
図２において符号「ＰＬ」に数字を付して示す矢印は電力ラインを示しており、符号「Ｌ」に数字を付して示す矢印は信号ラインを示している。
【００２８】
ＤＣジャック２７には電力ラインＰＬ０を介してＡＣアダプタ５０から電力が供給され、充電回路２９にはＤＣジャック２７から電力ラインＰＬ１を介して電力が供給される。  
充電回路２９は、電力ラインＰＬ２を介してバッテリー２３に電力を供給し、またその際の電圧値（充電電圧）を、バッテリー電圧に応じて調整する。
【００２９】
制御部３１は、信号ラインＬ５を介して充電回路２９へ充電許可或いは充電禁止を指示する信号を送り、充電回路２９は、信号ラインＬ４を介して制御部３１へ充電状態を示す信号を送る。  
制御部３１は、不図示のＣＰＵ、ＲＡＭ、ＲＯＭ等で構成されており、ＲＯＭに格納されたプログラムを読み込んで必要な処理を行う。残量取得手段３３、充電表示制御手段３５、残量表示制御手段３７、計測手段３９、情報書込手段４１、のこれらは、ＲＯＭに格納されたプログラムにより実現される手段である。このうち充電表示制御手段３５は、充電表示ＬＥＤ１７のＯＮ／ＯＦＦ切り換えを行い、残量表示制御手段３７は、ＬＣＤ表示部１５におけるバッテリー残量表示の制御を行う。  
尚、計測手段３９と情報書込手段４１については、後に説明する。
【００３０】
制御部３１は、信号ラインＬ７を介してバッテリー２３の接続検出を行う。バッテリー２３は、不図示の電圧検出部、温度検出部を備えており、制御部３１は、信号ラインＬ６を介してバッテリー２３の状態のうち少なくとも電圧と温度を取得する。  
制御部３１の残量取得手段３３は、バッテリー２３から取得した電池電圧に基づいて、バッテリー２３の残量（パーセンテージ）を取得する。このバッテリー残量の取得方法には種々のものがあり、所定の計算式に基づいてバッテリー電圧から算出する方法や、或いはバッテリー電圧に対応したバッテリー残量のテーブルデータに基づき取得する方法など、公知の取得方法を用いることができる。
【００３１】
バッテリー２３は、記憶手段の一例であるメモリ２５を備えている。メモリ２５には、バッテリー残量数値に対する、満充電までの所要時間予測値のテーブルデータ（図６）が格納されており、制御部３１は、信号ラインＬ８を用いて前記テーブルデータの読み出し、及び更新を行う。
【００３２】
以下、図３を参照しつつ制御部３１が行うバッテリー充電制御について説明する。  
図３に示すバッテリー充電制御は、ＡＣアダプタ５０（図２）がＤＣジャック２７（図２）に接続され、且つ、バッテリー残量が満充電以外の場合（要充電状態）に実行される。  
バッテリー２３が要充電状態の際にＤＣジャック２７（図２）にＡＣアダプタ５０（図２）が接続されると、制御部３１は、充電表示ＬＥＤ１７を点灯させる（ステップＳ１０１）。
【００３３】
次いで制御部３１は、バッテリー電圧を取得し、且つ、取得したバッテリー電圧をもとにしてバッテリー残量を取得（算出）する（ステップＳ１０２）。そして取得したバッテリー残量をＬＣＤ表示部１５に表示する様に、ＬＣＤ表示部１５の表示を更新する（ステップＳ１０３）。
【００３４】
次いで充電回路２９は、制御部３１からの充電実行指令を受けてバッテリー２３の充電、即ち電圧印加を開始する（ステップＳ１０４）。  
次いで、バッテリー残量が９９％以上の場合（ステップＳ１０５においてYes）、ステップＳ１０９に移行するが、ステップＳ１０９以降は後に説明する。  
バッテリー残量が９９％未満の場合（ステップＳ１０５においてNo）、充電時間Ｔ１が経過したか否かの監視ルーチンに入る（ステップＳ１０６）。
【００３５】
この充電時間Ｔ１は、予め定められた時間であり、制御部３１が備えるＲＯＭ等の記憶手段に記憶されている。充電時間Ｔ１は、例えばバッテリー残量が０％から１００％までに要する時間が数時間程度であれば、一例として数分程度の長さに設定される。  
即ち充電回路２９は、バッテリー２３が満充電になるまでに、短時間の充電と停止とを繰り返す。
【００３６】
更に詳しくは、充電時間Ｔ１が経過すると（ステップＳ１０６においてYes）、充電を一時的に停止し（ステップＳ１０７）、待機時間Ｔ２が経過したか否かの監視ルーチンに入る（ステップＳ１０８）。この待機時間Ｔ２は、予め定められた時間であり、制御部３１が備えるＲＯＭ等の記憶手段に記憶されている。待機時間Ｔ２は、例えば充電時間Ｔ１が数分程度であれば、数秒程度の長さに設定される。
【００３７】
待機時間Ｔ２が経過すると（ステップＳ１０８においてYes）、ステップＳ１０２に戻り、バッテリー電圧を取得し、且つ、取得したバッテリー電圧をもとにしてバッテリー残量を取得（算出）する。そして取得したバッテリー残量をＬＣＤ表示部１５に表示する様に、ＬＣＤ表示部１５の表示を更新し（ステップＳ１０３）、以降は同様な処理を繰り返す。
【００３８】
即ち制御部３１（残量取得手段３３）は、バッテリー残量取得の前提となるバッテリー電圧の取得を、充電中（バッテリー２３への電圧印加中）に行わず、充電を一時的に停止させて（ステップＳ１０７）、且つ、所定の待ち時間（ステップＳ１０８）が経過した後に行う（ステップＳ１０２）。これにより、充電中或いは充電停止直後の電圧が不安定な状態でバッテリー電圧を取得し、結果的に不正確なバッテリー残量を取得し表示する問題を回避できる。
【００３９】
次に、ステップＳ１０５においてバッテリー残量が９９％以上になると（ステップＳ１０５においてYes）、満充電に到達したか否かの監視ルーチンに移行する（ステップＳ１０９）。即ち制御部３１は、バッテリー残量が９９％以上の場合（バッテリー電圧が所定の値を超える場合）、一時的な充電停止と時間待ち（ステップＳ１０７、Ｓ１０８）を行わずに、バッテリーの充電（電圧印加）を続ける。バッテリー残量が９９％以上の場合は、電圧値が安定し、一時的な充電停止と時間待ちを行う必要がないからである。これにより、充電時間の不必要な長時間化を抑制できる。  
尚、ステップＳ１０９の監視ルーチンには、バッテリー電圧の取得とそれに基づく残量取得（ステップＳ１０２と同様な処理）が含まれる。
【００４０】
そして満充電になると（ステップＳ１０９においてYes）、制御部３１は、ＬＣＤ表示部１５のバッテリー残量表示を１００％に更新し（ステップＳ１１０）、次いで充電表示ＬＥＤ１７を消灯する（ステップＳ１１１）。
【００４１】
ところでステップＳ１０１において充電表示ＬＥＤ１７を点灯してから、ステップＳ１１０において満充電に基づき充電表示ＬＥＤ１７を消灯するまでの間においては、一時的な充電停止（ステップＳ１０７）を行っているにも拘わらず、制御部３１（充電表示制御手段３５）は充電表示ＬＥＤ１７の一時的な消灯は行わず、連続して充電制御の実行中を示す表示を行わせる。  
これにより、充電表示ＬＥＤ１７の頻繁な状態変化を招かず、適切な充電状態表示を行うことができる。
【００４２】
＜＜実施例の変更例＞＞  
上述した実施例は、以下の様に変更することができる。  
（１）ステップＳ１０６の充電時間Ｔ１を、バッテリー電圧に応じて変更しても良い。充電時間Ｔ１の調整は即ち、ＬＣＤ表示部１５におけるバッテリー残量表示の情報を更新する時間間隔の調整と同義となる。  
例えば、バッテリー電圧が低い場合に充電時間Ｔ１を長くすると、ＬＣＤ表示部１５におけるバッテリー残量表示の更新時にバッテリー残量が一気に上昇した様に見え、好ましくない。従ってバッテリー電圧が低いほど充電時間Ｔ１を短くすることで、バッテリー残量の変動が大きい状態できめ細かくバッテリー残量の更新ができ、ユーザーの便宜に資すことができる。
【００４３】
その場合、バッテリー電圧の範囲を区切ってその範囲毎に充電時間Ｔ１を設定しても良いし、或いは所定の計算式を用い、バッテリー電圧の増加に伴って徐々に充電時間Ｔ１が長くなる様に設定しても良い。
【００４４】
（２）図３のステップＳ１０９で示した様に、上記実施例ではバッテリー残量が９９％以上の場合（バッテリー電圧が所定の値を超える場合）、一時的な充電停止と待機時間Ｔ２の時間待ち（ステップＳ１０７、Ｓ１０８）を行わずにバッテリーの充電（電圧印加）を続ける、即ち待機時間Ｔ２をゼロとするが、当該待ち時間Ｔ２も、バッテリー電圧に応じてきめ細かく調整して良い。  
具体的には、バッテリー電圧が低いほど、充電停止した際（図３のステップＳ１０７）に電圧が安定する迄の時間を要する為、バッテリー電圧が低いほど待ち時間Ｔ２を長く設定する。  
この場合も上記と同様に、バッテリー電圧の範囲を区切ってその範囲毎に待機時間Ｔ２を設定しても良いし、或いは所定の計算式を用い、バッテリー電圧の増加に伴って待機時間Ｔ２が徐々に短くなる様に設定しても良い。
【００４５】
（３）ＬＣＤ表示部１５が例えばバックライトを消灯させるか或いは表示を含めて全て消灯させる省電力モードを実行する構成である場合、制御部３１（残量取得手段３３）は、前記省電力モードの実行中は、充電制御中の一時的な充電停止と待機時間Ｔ２の時間待ち（図３のステップＳ１０７、Ｓ１０８）を設けないこともできる。或いは、待機時間Ｔ２（図３のステップＳ１０８）を、前記省電力モードを解除した場合より短くしても良い。  
これにより、バッテリー残量を表示する必要の無い省電力モードの場合に、待ち時間Ｔ２を設けないことで、充電時間の不必要な長時間化を抑制できる。
【００４６】
尚、プリンター１は、不図示の外部機器（例えばコンピューター）と接続する不図示のインターフェースを備えている。プリンター１が外部機器と接続された場合、外部機器側で動作するプリンタドライバを介してバッテリー残量を確認する場合もある。この場合、ＬＣＤ表示部１５が省電力モードに移行しても、外部機器側で正確なバッテリー残量を把握する為に、充電制御中の一時的な充電停止と待機時間Ｔ２の時間待ち（図３のステップＳ１０７、Ｓ１０８）を設けることが好ましい。
【００４７】
（４）制御部３１の残量表示制御手段３７は、ＬＣＤ表示部１５のバッテリー残量表示を、残量取得手段３３により取得されたバッテリー残量に拘わらず、装置状態に応じて増える方向及び減る方向のいずれかに統一しても良い。  
例えば装置の動作中、即ちバッテリー放電中においては、放電による影響でバッテリー電圧は低下しており、装置の動作が停止した後、即ちバッテリー放電が終了すると、バッテリー電圧は上昇する。従ってバッテリー放電中にバッテリー残量を取得してこれを表示し、バッテリー放電終了後にバッテリー残量を取得してこれを表示すると、バッテリーの充電を行っていない状態であるにも拘わらず一時的な電圧変動に起因して表示上のバッテリー残量が増え、ユーザーに対して違和感を与える。
【００４８】
そこで上述のように、制御部３１の残量表示制御手段３７は、ＬＣＤ表示部１５のバッテリー残量表示を、残量取得手段３３により取得されたバッテリー残量に拘わらず、装置状態に応じて増える方向及び減る方向のいずれかに統一する。  
バッテリー残量を、装置状態に応じて増える方向及び減る方向のいずれかに統一することで、上述の様な装置状態に反した不自然なバッテリー残量の増減表示を防止して、自然なバッテリー残量表示とすることができる。
【００４９】
図４はその一例であり、バッテリー駆動中において装置状態が動作中（例えば、印刷実行中）の場合は、バッテリー残量表示は減る方向に統一し、装置状態が停止中でも、バッテリー残量表示は減る方向に統一する。即ちバッテリー駆動中は、装置状態に拘わらずバッテリー残量表示を減る方向に統一する。例えば、装置動作中にバッテリー残量数値として７０％を取得し、装置動作終了後にバッテリー残量数値として７２％を取得しても、ＬＣＤ表示部１５にはバッテリー残量数値として７０％を表示する。これにより、充電中でないにも拘わらず装置動作が停止した後にバッテリー残量が増える等の不自然な表示が防止される。
【００５０】
また、ＡＣアダプタ接続中において装置状態が動作中（例えば、印刷実行中）の場合は、バッテリー残量表示は増える方向に統一し、装置状態が停止中でも、バッテリー残量表示は増える方向に統一する。即ちＡＣアダプタ接続中は、装置状態に拘わらずバッテリー残量表示を増える方向に統一する。これにより、一時的な電圧変動に起因して表示上のバッテリー残量が減り、ユーザーに対して違和感を与えることを回避できる。  
以上説明したバッテリー残量表示の、増える方向への統一は、例えば図３を参照しつつ説明したバッテリー充電制御におけるステップＳ１０３の処理に対して適用することができる。  
残量表示制御手段３１は、以上の様にＬＣＤ表示部１５に表示するバッテリー残量の制御を行うものである。
【００５１】
尚、ＬＣＤ表示部１５に表示するバッテリー残量は、必ずしもパーセンテージ表示に限らず、その他の表示方法、例えばバッテリー残量を図形的に表示する方法でも良いし、その他にも、残り使用可能時間等の、バッテリー残量と実質的に等価であるパラメーターを表示する様にしても良い。
【００５２】
＜＜充電予測時間の補正＞＞
続いて、図５及び図６を参照しつつ、満充電までの所要時間予測値の補正について説明する。  
ＬＣＤ表示部１５には、バッテリー残量に加え、充電の際に満充電までの所要時間（見込み時間）を表示する様に構成しても良い。満充電までの所要時間は、一例として、図６に示す様な電池残量とそれに対応する所要時間予測値のテーブルデータをバッテリー２３のメモリ２５に保持しておき、必要に応じて読み出し、読み出した所要時間予測値をＬＣＤ表示部１５に表示することができる。  
このデータの読み出しと表示は、例えば図２のステップＳ１０２、Ｓ１０３の処理と同時に行うことができる。
【００５３】
ここで通常、図６に示すテーブルデータはバッテリーの仕様が同一であれば同じものを用いることもできるが、バッテリーは個体ばらつきにより、充電完了までの予測時間と、実際に要した充電時間とが異なることがある。実際に要した充電時間をもとにして、充電完了までの予測時間を補正することも考えられるが、例えば複数個のバッテリーを準備して交互に使用する様な使用状況には、対応することができない。
【００５４】
そこで本実施形態に係るプリンター１では、バッテリー残量が所定量増えるまでに要した実充電時間を計測する計測手段３９と、実充電時間に関する情報を、バッテリー２３が備える情報記憶部であるメモリ２５に書き込む情報書込手段４１と、を備えている。  
図５に示す充電予測時間補正制御は、例えば図２を参照しつつ説明した充電制御と平行して実行することができるし、或いは図２を参照しつつ説明した充電制御の中に組み込んで実行することもできる。
【００５５】
図５において、バッテリー電圧の取得とそれに基づく残量取得を行い（ステップＳ５０１）、電池残量に対する満充電迄の所要時間予測値をバッテリー２３のメモリ２５から取得する（ステップＳ５０３）。  
次いで、ＬＣＤ表示部１５の充電所要時間表示を更新し（ステップＳ５０３）、タイマーを起動する（ステップＳ５０４）。このタイマーは、本実施例では充電開始から充電完了（満充電）までに要する実時間を計測する為のものであり、図２の計測手段３９に相当する。
【００５６】
充電が完了すると（ステップＳ５０５においてYes、）、実充電時間を取得し（ステップＳ５０６）、所要時間予測値と実充電時間との誤差を求める（ステップＳ５０７）。そして、取得した誤差に基づき、バッテリー２３のメモリ２５に格納された図６のテーブルデータを更新する（ステップＳ５０８）。即ちステップＳ５０８は、情報書込手段４１の機能を実現する。  
例えば、充電開始時のバッテリー残量が５０％の場合、満充電までの所要時間予測値は図６の例では１６５分であるが、それが実際には１３２分であった場合、実充電時間は所要時間予測値の８０％であるので、図６に示すテーブルの所要時間予測値全てに係数０．８を乗じ、得られた値でテーブルデータを更新する。
【００５７】
これにより、バッテリーが交換された場合でも、交換されたバッテリーについての充電所要時間をメモリ２５から取得することで、個々のバッテリーに対応したより正確な充電所要時間（予測時間）をユーザーに対して提供することができる。
【００５８】
尚、上述した満充電までの所要時間予測値の補正は、以下の様に変形することもできる。
（１）バッテリー温度を考慮して、バッテリー温度毎にテーブルデータを複数保持しても良い。  
（２）テーブルデータの更新は、各データに誤差計数値を乗じるのではなく、実際に計測した時間をそのまま反映しても良い。即ち、図６の例ではバッテリー残量が１％増加する毎に実際に要した実充電時間を計測し、その計測時間をそのまま書き込んでも良い。  
（３）ＬＣＤ表示部１５における満充電までの所要時間の表示は、バッテリー電圧及び残量の取得後に、テーブルデータを参照して得られた時間を表示するが、これに代えて、最初に満充電までの所要時間を取得した後は、例えば１分或いは１秒ごとにカウントダウンしてそれを表示しても良い。
【符号の説明】
【００５９】
１…インクジェットプリンター、３…装置本体、５…上部カバー、６…用紙セット口、７…前面カバー、８…ハンドル、９…チルトパネル、１１…電源ボタン、１３…操作部、１５…ＬＣＤ表示部、１７…充電表示ＬＥＤ、１９…キャリッジ、２１…記録ヘッド、２３…バッテリー、２５…メモリ、２６…バッテリー充電装置、２７…ＤＣジャック、２９…充電回路、３１…制御部、３３…残量取得手段、３５…充電表示制御手段、３７…残量表示制御手段、３９…計測手段、４１…情報書込手段、５０…ＡＣアダプタ
【図１】
2018137838.tif 000003
【図２】
2018137838.tif 000004
【図３】
2018137838.tif 000005
【図４】
2018137838.tif 000006
【図５】
2018137838.tif 000007
【図６】
2018137838.tif 000008